(57)【要約】【課題】微細気泡発生装置の使用時に騒音や振動が生じることを効果的に防止でき、微細気泡発生装置の使用時に快適な入浴を行うことができる浴室装置を提供する。【解決手段】浴槽１０から浴水を吸い込み、吸い込んだ浴水に気体を混合し、混合した気体を浴水に溶解させ、該浴水を浴槽１０内に吐出して浴槽１０内に微細気泡を発生させる微細気泡発生装置１１を備える。微細気泡発生装置１１が、床、床の周囲に配設された壁、床上に配設された浴槽１０、及び浴槽１０側と洗い場側を仕切るエプロン１２に囲まれた空間１９におけるエプロン対向位置に配設される。微細気泡発生装置１１とエプロン１２の間に防音材１６ａが配設される。【選択図】図１
2011030951.tif 000002
【特許請求の範囲】
【請求項１】
浴槽から浴水を吸い込み、吸い込んだ浴水に気体を混合し、混合した気体を浴水に溶解させ、該浴水を浴槽内に吐出して浴槽内に微細気泡を発生させる微細気泡発生装置を備え、該微細気泡発生装置が、床、床の周囲に配設された壁、床上に配設された浴槽、及び浴槽側と洗い場側を仕切るエプロンに囲まれた空間におけるエプロン対向位置に配設され、微細気泡発生装置とエプロンの間に防音材が配設されていることを特徴とする浴室装置。
【請求項２】
微細気泡発生装置が前記空間における浴槽の一端側に配設され、該微細気泡発生装置とエプロンとの間に前記防音材が配設されると共に、前記空間におけるエプロン対向位置で且つ浴槽の他端側に他の防音材が配設されていることを特徴とする請求項１に記載の浴室装置。
【請求項３】
前記防音材がシート状の吸音材と該吸音材のエプロン側に積層されたシート状の遮音材を備えていることを特徴とする請求項１又は請求項２に記載の浴室装置。
【請求項４】
前記防音材が浴槽裏の上部より吊り下げられることで、前記空間におけるエプロン対向位置に配設されていることを特徴とする請求項１乃至３のいずれか１項に記載の浴室装置。
【請求項５】
前記防音材は、一方の側端部が壁に沿い、他方の側端部が浴槽に沿い、上端部が浴槽裏面の上部に沿い、下端が浴槽側の床面の最高水位よりも高位置に配置されていることを特徴とする請求項１乃至４のいずれか１項に記載の浴室装置。
【請求項６】
浴槽から浴水を吸い込み、吸い込んだ浴水に気体を混合し、混合した気体を浴水に溶解させ、該浴水を浴槽内に吐出して浴槽内に微細気泡を発生させる微細気泡発生装置を備え、該微細気泡発生装置が、床、床の周囲に配設された壁、床上に配設された浴槽、及び浴槽側と洗い場側を仕切るエプロンに囲まれた空間におけるエプロン対向位置に配設され、エプロンの裏面に防音材が取り付けられていることを特徴とする浴室装置。
【請求項７】
前記防音材がシート状の吸音材と該吸音材のエプロン側に積層されたシート状の遮音材を備えていることを特徴とする請求項６に記載の浴室装置。
【請求項８】
前記防音材がエプロンの外形よりも大きい形状で、エプロンの周囲より出るように貼り付けられていることを特徴とする請求項７に記載の浴室装置。
【発明の詳細な説明】
【技術分野】
【０００１】
本発明は微細気泡発生装置を備えた浴室装置に関する。
【背景技術】
【０００２】
従来より、浴槽から浴水を吸い込み、吸い込んだ浴水に空気を混合し、混合した空気を浴水に溶解させ、該浴水を浴槽内に吐出して浴槽内に微細気泡を発生させる微細気泡発生装置が例えば特許文献１により知られている。
【０００３】
この微細気泡発生装置は、浴槽内に径が小さく滞留時間の長い微細気泡を発生させることにより、微細気泡で入浴者を包み込んで温める保温効果や、微細気泡の衝突によって生じる微振動や微細気泡がはじけた際に発生する超音波による洗浄効果及びマッサージ効果、微細気泡によって浴水を白濁させる視覚的効果等が得られる。
【０００４】
このような微細気泡発生装置は、一般的に、床、床の周囲に配設された壁、床上に配設された浴槽、及び床の浴槽側と洗い場側を仕切るエプロンに囲まれた空間に配置され、これによって浴室のスペースを有効利用することができる。
【先行技術文献】
【特許文献】
【０００５】
【特許文献１】特開２００７−３１３４６４号公報
【発明の概要】
【発明が解決しようとする課題】
【０００６】
ところで、微細気泡発生装置の使用時には、ポンプの運転音や、気体を浴水に混合する際に生じる音、気体を加圧溶解させる際に生じる浴水の衝突音、余剰空気を放出する際に発生する音、浴水が循環水路を流れる際に生じる音等の様々な音が生じるものであり、この使用時の音が周囲に伝わって騒音や振動を生じさせ、快適な入浴が阻害される恐れがある。
【０００７】
本発明は前記の事情に鑑みてなされたものであって、微細気泡発生装置の使用時に騒音や振動が生じることを効果的に防止でき、微細気泡発生装置の使用時に快適な入浴を行うことができる浴室装置を提供することを課題とする。
【課題を解決するための手段】
【０００８】
前記課題を解決するために本発明の浴室装置は以下の構成を有する。浴槽１０から浴水を吸い込み、吸い込んだ浴水に気体を混合し、混合した気体を浴水に溶解させ、該浴水を浴槽１０内に吐出して浴槽１０内に微細気泡を発生させる微細気泡発生装置１１を備える。該微細気泡発生装置１１が、床、床の周囲に配設された壁、床上に配設された浴槽１０、及び浴槽１０側と洗い場側を仕切るエプロン１２に囲まれた空間１９におけるエプロン対向位置に配設される。そして、微細気泡発生装置１１とエプロン１２の間に防音材１６ａが配設される。
【０００９】
このような構成を有することで、微細気泡発生装置１１とエプロン１２の間に配設された防音材１６ａにより、微細気泡発生装置１１のエプロン１２側を覆い、微細気泡発生装置１１の使用時において発生する使用音がエプロン１２側に伝わることを抑制でき、これによりエプロン１２を伝わることによって生じる騒音や振動を効果的に防止することができる。
【００１０】
また、微細気泡発生装置１１が前記空間１９における浴槽１０の一端側に配設され、該微細気泡発生装置１１とエプロン１２との間に前記防音材１６ａが配設されると共に、前記空間１９におけるエプロン対向位置で且つ浴槽１０の他端側に他の防音材１６ｂが配設されることが好ましい。
【００１１】
微細気泡発生装置１１の使用音が空間１９における浴槽１０の後側を回りこんでエプロン１２に伝わることを防音材１６ｂによって防止することができ、騒音や振動が生じることを一層防止することができる。また、この防音材１６ｂは浴槽１０の微細気泡発生装置１１とは反対側の離れた位置に配置されるため、微細気泡発生装置１１の近くに防音材を設けたものと比較して、微細気泡発生装置１１の運転時に発生する熱がこもり難くなる。
【００１２】
また、前記防音材１６ａがシート状の吸音材５１と該吸音材５１のエプロン１２側に積層されたシート状の遮音材５２を備えることが好ましい。この場合、微細気泡発生装置１１から防音材１６ａに到達した音は、まず吸音材５１にて減衰され、この後、遮音材５２で反射して再び吸音材５１で減衰される。このため、微細気泡発生装置１１の使用音がエプロン１２に伝わることを一層防止できる。
【００１３】
また、前記防音材１６ａが浴槽１０裏の上部より吊り下げられることで、前記空間１９におけるエプロン対向位置に配設されることが好ましい。この場合、防音材１６ａを浴槽１０裏の上部より吊り下げることにより、空間１９のエプロン対向位置に簡単に配設することができる。また、防音材１６ａをエプロン１２に接触させることなく配設でき、これにより微細気泡発生装置１１の使用音が防音材１６ａを介してエプロン１２に伝わることも防止でき、騒音及び振動の発生をより確実に防止できる。
【００１４】
また、前記防音材１６ａは、一方の側端部が壁に沿い、他方の側端部が浴槽１０に沿い、上端部が浴槽１０裏面の上部に沿い、下端が浴槽１０側の床面の最高水位よりも高位置に配置されていることが好ましい。この場合、微細気泡発生装置１１で発生した使用音がエプロン１２側に伝わることを一層防止でき、また、防音材１６ａの下端が浴槽１０側の床面の最高水位よりも高位置に配置されるので、防音材１６ａが浴槽１０側の床面に溜まる水に浸かることを防止できる。
【００１５】
また、本発明の他の浴室装置は以下の構成を有する。浴槽１０から浴水を吸い込み、吸い込んだ浴水に気体を混合し、混合した気体を浴水に溶解させ、該浴水を浴槽１０内に吐出して浴槽１０内に微細気泡を発生させる微細気泡発生装置１１を備える。該微細気泡発生装置１１が、床、床の周囲に配設された壁、床上に配設された浴槽１０、及び浴槽１０側と洗い場側を仕切るエプロン１２に囲まれた空間１９におけるエプロン対向位置に配設される。そして、エプロン１２の裏面に防音材１６ｃ又は１６ｄが取り付けられる。
【００１６】
このような構成を有することで、エプロン１２の裏面に取り付けられた防音材１６ｃ又は１６ｄにより、微細気泡発生装置１１の使用時において発生する使用音がエプロン１２側に伝わることを抑制でき、これによりエプロン１２を伝わることによって生じる騒音や振動を効果的に防止することができる。また、施工時や、微細気泡発生装置１１のメンテナンス時において、防音材１６ｃ又は１６ｄを取り付ける作業が不要となり、作業性が向上する。
【００１７】
また、前記防音材１６ｃ又は１６ｄがシート状の吸音材５１と該吸音材５１のエプロン１２側に積層されたシート状の遮音材５２を備えていることが好ましい。この場合、微細気泡発生装置１１から防音材１６ｃ又は１６ｄに到達した音は、まず吸音材５１にて減衰され、この後、遮音材５２で反射して再び吸音材５１で減衰される。このため、微細気泡発生装置１１の使用音がエプロン１２に伝わることを一層防止できる。
【００１８】
また、前記防音材１６ｃ又は１６ｄがエプロン１２の外形よりも大きい形状で、エプロン１２の周囲より出るように貼り付けられることが好ましい。エプロン１２の周囲より突出した防音材１６ｃにより、微細気泡発生装置１１の使用音がエプロン１２の周囲の隙間から洗い場側に漏れ出すことを防止でき、騒音や振動の発生を確実に防止することができる。
【発明の効果】
【００１９】
本発明にあっては、微細気泡発生装置の使用時に騒音や振動が生じることを効果的に防止でき、微細気泡発生装置の使用時に快適な入浴を行うことができる。
【図面の簡単な説明】
【００２０】
【図１】本発明の第一の実施形態の概略構成を示す平面図である。
【図２】同上の浴室装置の斜視図である。
【図３】同上の微細気泡浴槽の概略構成を示す側面図である。
【図４】同上のエプロン及び防音材を取り外した状態における微細気泡発生装置の設置状態を示す斜視図である。
【図５】同上の気体溶解装置を示す説明図である。
【図６】図４のエプロン及び防音材を取り付けた状態を示し、エプロンを透視して表した斜視図である。
【図７】同上の要部水平断面図である。
【図８】同上の要部側断面図である。
【図９】同上の防音材の取付け状態を示す説明図である。
【図１０】同上の防音材を示し、（ａ）は背面図であり、（ｂ）は側面図である。
【図１１】同上の防音シートの斜視図である。
【図１２】他例の防音シートの斜視図である。
【図１３】第二の実施形態の概略構成を示す平面図である。
【図１４】同上の防音材が貼り付けられたエプロンを示し、（ａ）は表側から見た斜視図であり、（ｂ）は裏側から見た斜視図である。
【図１５】他例の防音材が貼り付けられたエプロンを示し、（ａ）は表側から見た斜視図であり、（ｂ）は裏側から見た斜視図である。
【図１６】同上の防音材が貼り付けられたエプロンを示す斜視図である。
【発明を実施するための形態】
【００２１】
以下、添付図面に基づいて本発明の実施形態につき説明する。
【００２２】
（第一の実施形態）
まず、第一の実施形態について説明する。図１乃至図１２に示す本実施形態の浴室装置は浴室に微細気泡浴槽１が設けてなる。
【００２３】
浴室はユニットバスからなり、図２等に示すように床、壁、天井の夫々が、床パン２、床パン２の周囲に立設された壁パネル３、壁パネル３上に設けられた天井パネル５により構成されている。
【００２４】
床パン２は平面視略矩形状であり、片側半部を構成する洗い場部６と、他側半部を構成する浴槽設置部７とで構成されている。洗い場部６には洗い場部６上の水を排出するための排水口８が形成されている。なお、洗い場部６と浴槽設置部７は一体に形成されるものであってもよいし、別体であってもよい。
【００２５】
床パン２の洗い場部６と浴槽設置部７との境界部には、上方に突出する堰部９（図８参照）が形成され、堰部９によって浴槽設置部７から洗い場部６側及び洗い場部６から浴槽設置部７側に水が流れることが防止されている。
【００２６】
微細気泡浴槽１は、浴槽設置部７上に設置された浴槽１０と、浴槽１０の裏側（すなわち湯を溜める内面とは反対側である外面側）に設けられた微細気泡発生装置１１と、浴槽１０側と洗い場側を仕切るエプロン１２と、制御装置１３と、操作器１５と、防音材１６ａ、１６ｂとで構成されている。
【００２７】
浴槽１０は長手方向が洗い場部６の長手方向と平行となるよう設置され、槽部１７と、槽部１７の上縁に周設された外方に向けて突出するフランジ部１８とで構成されている。
【００２８】
エプロン１２は堰部９上に立設され、エプロン１２により堰部９とこの上方に位置する浴槽１０のフランジ部１８との間が覆われる。エプロン１２は、上端部が浴槽１０のフランジ部１８に、下端部が堰部９に夫々直接あるいは係止具を介して着脱可能に係止されることで固定され、浴槽１０及び床パン２に対して取り外し可能に設けられている。
【００２９】
このように浴室に浴槽１０及びエプロン１２が設けられることにより、浴室には図１に示すように床パン２、壁パネル３、浴槽１０、及びエプロン１２によって囲まれた平面視環状の空間１９が形成される。
【００３０】
前記浴槽１０を囲む平面視環状の空間１９において、エプロン１２に対向する位置（以下、エプロン対向位置と記載する）には微細気泡発生装置１１が配設されている。この微細気泡発生装置１１はエプロン１２を取り外すことで設置やメンテナンスが容易に行えるようになっている。
【００３１】
微細気泡発生装置１１は、浴槽１０から浴水を吸い込み、吸い込んだ浴水に気体を混合し、混合した気体を浴水に溶解させ、該浴水を浴槽１０内に吐出して浴槽１０内に微細気泡を発生させるものである。
【００３２】
図３に示すように微細気泡発生装置１１は、両端がエプロン１２に対向する浴槽１０の前壁部２０に接続された循環水路２１と、循環水路２１の一端から浴槽１０内の浴水を吸い込むと共に循環水路２１の他端から浴槽１０内に浴水を吐出するためのポンプ２２と、循環水路２１においてポンプ２２よりも下流側に設けられた気体溶解装置２３とで構成されている。なお、図３では循環水路２１の一端を構成する吸込口２５と他端を構成する吐出口２６とが槽部１７の下部の一箇所にまとめて設けられているが、吸込口２５と吐出口２６は離間して設けられるものであってもよい。
【００３３】
ポンプ２２は天井パネル５上に設けられた制御装置１３に接続され、その運転・停止の切換えは壁パネル３に設けられた操作器１５を操作することで行えるようになっている。
【００３４】
ポンプ２２よりも上流側の循環水路２１には、循環水路２１を流れる浴水に気体を混合する気体混合部としてエジェクター２７が設けられている。エジェクター２７は気体溶解装置２３で溶解される気体として外気である空気を浴水に混合するものである。
【００３５】
気体溶解装置２３では、ポンプ２２から供給された浴水にエジェクター２７で混合された空気が加圧溶解される。
【００３６】
図５に示すように、気体溶解装置２３はその主体が浴水を貯留するタンク２８で構成されている。タンク２８の上端部には溶解させる空気を貯留でき、タンク２８内が所定圧力以上になるとタンク２８内の余剰空気を図示しない空気逃がし弁により放出されるようになっている。
【００３７】
タンク２８の底部には、上流側の循環水路２１に接続される流入口２９と、下流側の循環水路２１に接続される流出口３０とが形成されている。
【００３８】
タンク２８内は、仕切り壁３３により流入口２９側の気液混合槽３１と流出口３０側の気液分離槽３２とに区画されている。気液混合槽３１と気液分離槽３２は仕切り壁３３の下部に設けられた水路３５を介して連通すると共に仕切り壁３３の上方に設けられた隙間３６を介して連通している。水路３５は気液分離槽３２側に流れる浴水の流れ方向が斜め上方となるよう傾斜している。
【００３９】
気液分離槽３２は、仕切り壁３３に対向する位置に設けられた気液分離壁３７により、気液混合槽３１側の上流部３８と、流出口３０側の下流部３９とに区画されている。
【００４０】
気液分離壁３７の上端は仕切り壁３３の上端よりも下方に位置し、気液分離壁３７の上方には上流部３８と下流部３９とを連通させる上隙間４０が形成されている。気液分離壁３７の下方には、上流部３８と下流部３９とを連通させる下隙間４１が形成されている。
【００４１】
また、気体溶解装置２３は気体循環経路４５を備えている。気体循環経路４５は、一端がタンク２８の上端部に接続される取出口４２からなり、他端がタンク２８上流側の循環水路２１の下流側端部に接続された取込口４３からなる。
【００４２】
ポンプ２２の運転時にはタンク２８の上端部に空気が加圧状態で貯留される。また、気液混合槽３１では、流入口２９から空気を含む浴水が気液混合槽３１に噴出されて、タンク２８の上壁部に勢いよく衝突し、また、浴水が攪拌され、これらの作用より浴水に含まれる空気及びタンク２８の上端部に貯留された空気が浴水に溶け込む。
【００４３】
この浴水は、水路３５を介して気液分離槽３２に流入し、気液分離槽３２において未溶解の空気が分離され、この後、流出口３０を経て下流側の循環水路２１に流出する。そして、この浴水が吐出口２６から浴槽１０内に吐出されることで、浴水に溶解された空気が大気圧となった浴槽１０内において径が小さく滞留時間の長い微細気泡として多量に析出し、この微細気泡により、保温効果、洗浄効果、マッサージ効果、及び浴水を白濁させる視覚的効果等が得られる。
【００４４】
気体溶解装置２３は、前記気液分離槽３２で分離された未溶解の空気が気液分離槽３２の上端部から隙間３６を介して気液混合槽３１の上端部に移動できるため、未溶解の空気を浴水に溶解させる空気として有効に利用することができる。
【００４５】
また、水路３５から気液分離槽３２の上流部３８に流入した浴水は、矢印ａに示すように、気液分離壁３７に沿って気液界面である液面付近まで上昇し、この後、気液分離壁３７を乗り越えて下流部３９に至る。このため前記浴水が気液分離壁３７を乗り越えるときにも気液分離がなされ、気液分離がより一層促進される。
【００４６】
また、ポンプ２２の運転時には、気体循環経路４５の取込口４３が接続された流入口２９近傍の循環水路２１では浴水の流れにより低圧となり、また、未溶解の空気が貯留されたタンク２８の上端部は比較的高圧になる。このため、循環水路２１の取出口４２近傍の部分とタンク２８の取込口４３近傍の部分との間には圧力差が生じ、これによってタンク２８の上端部の余剰空気は取出口４２から気体循環経路４５に引き抜かれ、取込口４３からタンク２８上流側の循環水路２１への送り出される。このように、タンク２８内に貯留している未溶解の空気を気泡として流体に取り込むことができるので、浴水とこれに含まれる空気の接触時間を長くすることができ、空気をより一層浴水に溶解させることができる。なお、気体溶解装置２３としては図５に示すものの他、従来から知られている種々の気体溶解装置を用いてもよいものとする。
【００４７】
微細気泡発生装置１１は、図４等に示すようにポンプ２２が脚４６を介して浴槽設置部７上に設けられ、ポンプ２２上に気体溶解装置２３が設けられている。これにより、微細気泡発生装置１１の一部を構成するポンプ２２及び気体溶解装置２３は、前記浴槽１０を囲む平面視環状の空間１９における洗い場側の一方のコーナー部に配置されている。また、循環水路２１の両端は、浴槽１０の槽部１７において前記一方のコーナー部に偏った箇所に接続されている。すなわち、微細気泡発生装置１１を構成するポンプ２２、気体溶解装置２３、及び循環水路２１の全ては、空間１９におけるエプロン対向位置で且つ浴槽１０の長手方向の一端側に配設されている。
【００４８】
図７等に示すように上記空間１９におけるエプロン対向位置にはシート状の防音材１６ａ、１６ｂが配設されている。図１のように第一の防音材１６ａは微細気泡発生装置１１が設けられた浴槽１０の長手方向の一端側に配置され、第二の防音材１６ｂは浴槽１０の長手方向の他端側に配置されている。
【００４９】
各防音材１６ａ、１６ｂは、図８等に示されるように浴槽１０裏の上部に位置する洗い場側のフランジ部１８に吊り下げられ、取付けシート４７と、取付けシート４７の浴槽１０側に臨む背面に取着された防音シート４８とで構成されている。
【００５０】
図１０に示すように取付けシート４７の上端部は防音シート４８よりも上方に突出し、該突出部分はフランジ部１８の下面に取り付けられる取付け部４９を構成している。
【００５１】
取付け部４９はスナップファスナーからなる取付け手段を介してフランジ部１８の下面に着脱自在に取り付けられる。スナップファスナーを構成する雌雄対をなすスナップ５０ａ、５０ｂのうち一方のスナップ５０ａが取付け部４９に左右に複数設けられ、これらスナップ５０ａがフランジ部１８の下面に設けられた対応する他方のスナップ５０ｂに着脱自在に嵌着されることで、防音材１６ａ、１６ｂは浴槽１０裏の上部に吊り下げられる。
【００５２】
なお、各防音材１６ａ、１６ｂをフランジ部１８に取り付けた状態では、図９に示すように取付け部４９をエプロン１２側に曲げてその先端部をフランジ部１８の下面に突設された突出部４４に当接してもよいし、図８のように取付け部４９を浴槽１０側に曲げて、フランジ部１８の下面に沿わしてもよい。また、取付け部４９は面ファスナー等のその他の取付け手段により浴槽１０裏の上部に取り付けられるものであってもよい。また、取付け部４９は、図１０（ｂ）に示されるように、例えば取付けシート４７の上端部を折り返した後、縫い付けることで形成される二重のシート部分で構成されるものであってもよい。
【００５３】
防音シート４８は取付けシート４７に縫い付けられることで固定されている。図１０（ａ）の二点鎖線は前記取付け部４９や防音シート４８の縫い付け箇所を示している。なお、防音シート４８は接着や両面テープ等により取付けシート４７に張り付けられるものであってもよい。
【００５４】
防音シート４８は、シート状の吸音材５１と、吸音材５１のエプロン１２側に積層されたシート状の遮音材５２とで構成されている。吸音材５１と遮音材５２は両面テープを介して貼り合わされる。
【００５５】
吸音材５１はＰＥＴ不織布からなり、微細気泡発生装置１１から伝わってくる音をＰＥＴ繊維で減衰させ、吸音する。遮音材５２は吸音材５１よりも薄いブチル系ゴムシートからなり、吸音材５１を通過した音がエプロン１２側に伝わることを防止する。例えば吸音材５１の厚みは２３ｍｍ、遮音材５２の厚みは２ｍｍに設定される。
【００５６】
各防音材１６ａ、１６ｂは、図１に示すように浴槽１０の長手方向の両側の壁部とこれに対向する壁パネル３との間に形成される空間部１９ａ、１９ｂをエプロン１２側から覆うように配置されている。
【００５７】
このうち第一の防音材１６ａは微細気泡発生装置１１とエプロン１２の間に配置されている。防音材１６ａの両側端部は、エプロン１２と反対側に曲げられて、夫々が浴槽１０の前壁部２０と浴槽１０の長手方向の壁部に対向する壁パネル３に密着している。また、防音材１６ａにあっては、防音シート４８が微細気泡発生装置１１のポンプ２２、気体溶解装置２３、及び循環水路２１の全てに対向するよう配設されている。
【００５８】
他方、第二の防音材１６ｂは浴槽１０の前壁部２０と略平行とされ、浴槽側が浴槽１０の前壁部２０に当接し、浴槽１０と反対側の端部が壁パネル３に密着している。
【００５９】
また、図８に示すように各防音材１６ａ、１６ｂの下端は堰部９よりも上方において堰部９に沿って配置される。浴槽設置部７上に所定量以上の水が溜められると、この水は堰部９を乗り越えて洗い場部６側に流れ出す。つまり、浴槽設置部７上に溜められる水の最高水位は図８中２点鎖線に示すレベルにあり、堰部９の上端の高さと一致している。すなわち、各防音材１６ａ、１６ｂの下端は浴槽１０側の床面の最高水位よりも高位置に配置され、これにより各防音材１６ａ、１６ｂが浴槽１０側の床面に溜まる水に浸かることが防止されている。
【００６０】
以上説明した本実施形態の浴室装置では、微細気泡発生装置１１とエプロン１２の間に配設された防音材１６ａにより、微細気泡発生装置１１のエプロン１２側を覆い、微細気泡発生装置１１の使用時において発生する使用音がエプロン１２側に伝わることを抑制でき、これによりエプロン１２を伝わることによって生じる騒音や振動を防止することができる。なお、微細気泡発生装置１１の使用音としては、ポンプ２２の運転音、エジェクター２７で気体を浴水に混合する際に生じる音、タンク２８内で気体を加圧溶解させる際に生じる浴水の衝突音、タンク２８内の余剰空気を空気逃がし弁により放出する際に発生する音、浴水が循環水路２１を流れる際に生じる音等が挙げられる。
【００６１】
また、エプロン１２は微細気泡発生装置１１の周囲にある床パン２、壁パネル３及び浴槽１０の他の部材と比較して小型で且つ軽量であり、また、浴槽１０及び床パン２に対して着脱自在に取り付けられるものであり、音や振動を比較的伝え易いものといえる。つまり、本実施形態ではこのようなエプロン１２に微細気泡発生装置１１の使用音が伝わることを防止するので、微細気泡発生装置１１の使用時に騒音や振動が生じることを効果的に防止することができるものである。
【００６２】
また、微細気泡発生装置１１で発生する使用音には、微細気泡発生装置１１から第一の防音材１６ａとは反対側に向かい、図１に示す平面視環状の空間１９における空間部１９ａ、浴槽１０の後側の空間部１９ｃ、及び空間部１９ｂを順に経て、エプロン１２に向かう音もある。しかし、本実施形態ではこのように微細気泡発生装置１１で発生した音が浴槽１０の後側を回りこんでエプロン１２に伝わることを第二の防音材１６ｂによって防止することができ、騒音や振動が生じることを一層防止することができる。また、この第二の防音材１６ｂは浴槽１０の微細気泡発生装置１１とは反対側の離れた位置に配置されるため、微細気泡発生装置１１の近くに第二の防音材を設けたものと比較して、運転時のポンプ２２の熱がこもり難く、ポンプ２２が過熱状態になり難い。
【００６３】
さらに各防音材１６ａ、１６ｂの遮音材５２は吸音材５１のエプロン１２側に積層されている。このため、微細気泡発生装置１１から各防音材１６ａ、１６ｂに到達した音は、まず吸音材５１にて減衰され、この後、遮音材５２で反射して再び吸音材５１で減衰され拡散される。これによって微細気泡発生装置１１の使用音がエプロン１２に伝わることを一層防止できる。
【００６４】
また、各防音材１６ａ、１６ｂを浴槽１０裏の上部より吊り下げることにより、空間１９のエプロン対向位置に簡単に配設することができる。また、各防音材１６ａ、１６ｂをエプロン１２に接触させることなく配設でき、これにより微細気泡発生装置１１の使用音が防音材１６ａ、１６ｂを介してエプロン１２に伝わることも防止でき、騒音及び振動の発生をより確実に防止できる。
【００６５】
また、各防音材１６ａ、１６ｂは、一方の側端部を壁パネル３に沿わせ、他方の側端部を浴槽１０に沿わせ、上端部を浴槽１０裏面の上部に沿わせているので、空間１９を各防音材１６ａ、１６ｂにより微細気泡発生装置１１を配置した音源側とエプロン１２側とに仕切ることができ、微細気泡発生装置１１で発生した使用音がエプロン１２側に伝わることを一層防止できる。
【００６６】
なお、各防音材１６ａ、１６ｂの防音シート４８は、図１１に示すものに限定されるものではなく。例えば図１２に示すように遮音材５２のエプロン１２側にＰＥＴ不織布からなる吸音材５４をさらに積層したもので遮音材５２を通過した音を吸音材５４でさらに減衰させることができる。ちなみに図１２の例では吸音材５４を吸音材５１よりも薄くしてあり、吸音材５１、遮音材５２、及び吸音材５４の夫々の厚みは、２３ｍｍ、２ｍｍ、１５ｍｍに設定されている。
【００６７】
（第二の実施形態）
次に上記第一の実施形態とは異なる第二の実施形態について説明する。なお以下の説明では第一の実施形態と同一の構成については同一の番号を付与し、重複する説明は省略する。
【００６８】
本実施形態の浴室装置では、防音材１６ａ、１６ｂに代えて、エプロン１２の裏面（浴槽１０側の面）に取り付けられる防音材１６ｃが用いられている。
【００６９】
防音材１６ｃは第一の実施形態における図１１に示す防音シート４８や、図１２に示す防音シート４８等で構成され、微細気泡発生装置１１から伝わってきた音は、吸音材５１にて減衰された後、遮音材５２で反射し、再び吸音材５１で減衰されるようになっている。図１２においては、遮音材５２を通過した音を吸音材５４で減衰させるようになっている。
【００７０】
図１４に示されるように防音材１６ｃは、エプロン１２の裏面の略全体を覆うものであり、また、エプロン１２の外形よりも大きい形状であって、エプロン１２の周囲より出るようにエプロン１２の裏面に貼り付けられている。
【００７１】
防音材１６ｃの上端部、両側端部、及び下端部は、正面視でエプロン１２から上方、外側方、下方の夫々に突出している。エプロン１２を設置した状態では、これら防音材１６ｃの上端部、両側端部、及び下端部の夫々が、浴槽１０の洗い場側のフランジ部１８の下面、エプロン１２両側の壁パネル３、堰部９に密着し、あるいはこれらの近傍に配置される。
【００７２】
本実施形態においても、エプロン１２の裏面に設けられた防音材１６ｃにより、微細気泡発生装置１１の使用音がエプロン１２側に伝わることを抑制できる。また、エプロン１２を設置するだけで、防音材１６ｃを微細気泡発生装置１１の使用音がエプロン１２に伝わることを防止できる位置に配置させることができ、施工時や、微細気泡発生装置１１のメンテナンス時において、防音材１６ｃを取り付ける作業が不要となる。
【００７３】
また、防音材１６ｃをエプロン１２の周囲より出るように貼り付けたので、防音材１６ｃにより、微細気泡発生装置１１の使用音がエプロン１２に伝わることだけでなく、エプロン１２の周囲の隙間から洗い場側に漏れ出す等することも防止でき、騒音や振動の発生を確実に防止することができる。
【００７４】
なお、防音材１６ｃをエプロン１２の周囲から出るように取り付けるにあたって、防音材６ｃの上端部、両側端部、及び下端部の全てがエプロン１２から出るものでなくてもようによく、これらのうち１乃至複数箇所がエプロン１２から出るものであってもよい。
【００７５】
また、前記図１４の例では防音材１６ｃをエプロン１２の周囲から食み出すようにしたが、図１５に示されるように防音材１６ｃがエプロン１２から食み出さないようにしてもよく、さらに防音材１６ｃはエプロン１２の裏面において微細気泡発生装置１１に対向する部分にのみ貼り付ける等してもよい。
【００７６】
また、前記図１３乃至図１５の例では、浴槽側と洗い場側を一枚のエプロン１２により仕切り、このエプロン１２の裏面に防音材１６ｃを貼り付けたが、これに代えて、図１６に示すようにエプロン１２を複数のエプロン分割体５３で構成して、これら複数のエプロン分割体５３で浴槽側と洗い場側を仕切り、且つ、これらエプロン分割体５３の裏面に防音材１６ｄを取り付けてもよい。
【００７７】
図１６の例では、エプロン１２が長手方向において２個のエプロン分割体５３に分割され、微細気泡発生装置１１側に位置するエプロン分割体５３が面積の大きな大エプロン５３ａとされ、反対側に位置するエプロン分割体５３が面積の小さな小エプロン５３ｂとされており、大エプロン５３ａ及び小エプロン５３ｂの夫々は単独で取り外しが行えるようになっている。このようにエプロン１２を複数のエプロン分割体５３で構成することで、施工やメンテナンス時には、比較的小型のエプロン分割体５３を取り付けたり、取り外したりするだけでよく、施工性やメンテナンス性が向上する。
【００７８】
大エプロン５３ａの裏面及び小エプロン５３ｂの裏面には夫々防音材１６ｄが貼り付けられている。各防音材１６ｄは取り付けられるエプロン分割体５３の裏面の略全体を覆い、また、エプロン分割体５３の外形よりも大きい形状であって、エプロン分割体５３の周囲より出るように貼り付けられている。
【００７９】
本例においても、エプロン分割体５３の裏面に取り付けられた防音材１６ｄにより、微細気泡発生装置１１の使用音がエプロン１２側に伝わることを抑制できる。また、防音材１６ｄをエプロン分割体５３の周囲より出るように貼り付けたので、防音材１６ｄにより、微細気泡発生装置１１の使用音がエプロン分割体５３に伝わることだけでなく、エプロン分割体５３の周囲の隙間から洗い場側に漏れ出す等することも防止でき、騒音や振動の発生を確実に防止することができる。
【００８０】
なお、図１６の例では防音材１６ｄをエプロン分割体５３の周囲から食み出すようにしたが、エプロン分割体５３から食み出さないようにしてもよく、また、エプロン分割体５３の裏面において部分的に貼り付けられるものであってもよい。
【００８１】
また、上記では微細気泡発生装置１１側に位置するエプロン分割体５３を反対側に位置するエプロン分割体５３（小エプロン５３ｂ）よりも大きい大エプロン５３ａとしたが、逆に微細気泡発生装置１１側に位置するエプロン分割体５３を反対側に位置するエプロン分割体５３よりも小さい小エプロンとし、夫々に防音材を貼り付けてもよい。また、エプロン１２は３以上のエプロン分割体に分割されるものであってもよい。さらに複数のエプロン分割体のうち任意のエプロン分割体５３の裏面にのみ防音材を設け、防音材が設けられないエプロン分割体があってもよい。
【符号の説明】
【００８２】
１０  浴槽
１１  微細気泡発生装置
１２  エプロン
１６ａ  防音材
１６ｂ  防音材
１６ｃ  防音材
１６ｄ  防音材
１９  空間
５１  吸音材
５２  遮音材
【図１】
2011030951.tif 000003
【図２】
2011030951.tif 000004
【図３】
2011030951.tif 000005
【図４】
2011030951.tif 000006
【図５】
2011030951.tif 000007
【図６】
2011030951.tif 000008
【図７】
2011030951.tif 000009
【図８】
2011030951.tif 000010
【図９】
2011030951.tif 000011
【図１０】
2011030951.tif 000012
【図１１】
2011030951.tif 000013
【図１２】
2011030951.tif 000014
【図１３】
2011030951.tif 000015
【図１４】
2011030951.tif 000016
【図１５】
2011030951.tif 000017
【図１６】
2011030951.tif 000018